(57)【要約】【課題】インターネットを介し、外部装置のデータを送信する場合、通信機能を持つ通信アダプタに接続し送信する方法が考えられる。そのため、通信アダプタにはＩＳＰと接続するためのＩＤ、パスワード等が設定されている。この通信アダプタを不正に持ち出された場合、個人情報であるＩＳＰと接続するためのＩＤ、パスワードが勝手に他人に使われてしまう。【解決手段】外部装置と接続し、通信ネットワークを介して外部装置に記憶されたデータを送信する通信アダプタにおいて、外部装置１は識別子１０を有しており、通信アダプタ２は、外部装置接続状態検出手段２２で外部装置１が接続されたことを検出したら、外部装置１が持つ識別子１０と識別子記憶手段２１の識別子とを比較し、接続判定手段２４で接続を許可するかどうかを判定する。【選択図】　図１
2004104393.tif 000002
【特許請求の範囲】
【請求項１】
通信ネットワークを介して通信する通信手段と、
外部装置の接続状態を検出する外部装置接続状態検出手段と、
前記通信ネットワークと接続するための接続設定情報を記憶する接続設定情報記憶手段と、
接続を許可する外部装置の識別子を記憶する識別子記憶手段と、
前記外部装置接続状態検出手段が外部装置が接続されたことを検出すると、前記外部装置が有している識別子を取得して前記識別子記憶手段に記憶された識別子と比較し、比較結果に基づいて前記通信ネットワークを介した通信相手との接続の許可を判定する接続判定手段とを有し、
前記接続判定手段の判定が接続の許可であった場合は、前記接続設定情報記憶手段の接続設定情報を用いて前記通信手段が前記通信ネットワークを介して通信相手と接続することを特徴とする通信アダプタ。
【請求項２】
通信手段の接続状態を検出する通信手段接続状態検出手段と、通信ネットワークと接続するための接続設定情報を記憶する接続設定情報記憶手段と、
接続を許可する通信手段の固有番号を記憶する固有番号記憶手段と、
前記通信手段接続状態検出手段が通信手段が接続されたことを検出すると、前記通信手段が有している固有番号を取得して前記固有番号記憶手段に記憶された固有番号と比較し、比較結果に基づいて前記通信ネットワークを介した通信相手との接続の許可を判定する接続判定手段とを有し、
前記接続判定手段の判定が接続の許可であった場合は、前記通信手段が前記接続設定情報記憶手段の接続設定情報を用いて前記通信ネットワークを介して通信相手と接続することを特徴とする通信アダプタ。
【請求項３】
前記接続判定手段の判定が接続の不許可であった場合は、前記接続設定情報を暗号化することを特徴とする請求項１または請求項２いずれかに記載の通信アダプタ。
【請求項４】
前記接続判定手段の判定が接続の不許可であった場合は、前記接続設定情報記憶手段で接続設定情報が記憶されているアドレスを変更することを特徴とする請求項１または請求項２いずれかに記載の通信アダプタ。
【請求項５】
前記接続判定手段の判定が接続の不許可であった場合は、前記接続設定情報を削除することを特徴とする請求項１または請求項２いずれかに記載の通信アダプタ。
【請求項６】
前記接続設定情報は、ＩＳＰ（Ｉｎｔｅｒｎｅｔ　Ｓｅｒｖｉｃｅ　Ｐｒｏｖｉｄｅｒ）にアクセスするための情報を含むことを特徴とする請求項１または請求項２いずれかに記載の通信アダプタ。
【請求項７】
前記接続設定情報は、電子メールサーバにアクセスするための情報を含むことを特徴とする請求項１または請求項２いずれかに記載の通信アダプタ。
【請求項８】
前記接続設定情報は、ＦＴＰサーバにアクセスするための情報を含むことを特徴とする請求項１または請求項２いずれかに記載の通信アダプタ。
【発明の詳細な説明】
【０００１】
【発明の属する技術分野】
外部装置と接続しインターネットを介してデータを送信する通信システムに用いられる通信アダプタに関する。
【０００２】
【従来の技術】
従来のインターネットへの接続システムとしてカード式で行なうものがある（例えば特許文献１参照）。
【０００３】
また、インターネットを介し、デジタルスチールカメラ（以降、ＤＳＣと呼ぶ）の画像データを送信する場合、通信機能を持つ通信アダプタに接続し電子メールで送信する方法が考えられる。
【０００４】
上記のように通信アダプタを使って画像データを送信する方法について、図７を用いて示す。
【０００５】
図７（ａ）に通信アダプタに接続設定情報を設定する例を示す。
【０００６】
通信アダプタ７０にパソコン７３を使って接続設定情報を設定する。
【０００７】
自宅にあるパソコン７３に通信アダプタ７０の接続設定情報（例えば、ＩＳＰのアクセスポイントの電話番号、ＩＳＰと接続するためのＩＤ、ＩＳＰと接続するためのパスワード、送信先メールアドレス）を設定するための専用ソフトをインストールする。
【０００８】
次に、パソコン７３と通信アダプタ７０をＵＳＢ等のケーブルを使って接続する。
【０００９】
次に、専用ソフトを使って接続設定情報を通信アダプタ７０に設定する。接続設定情報は使用者が加入しているＩＳＰの設定情報であり、通常自宅のパソコンに設定されている接続設定情報と同じものを設定するであろう。
【００１０】
接続設定情報は通信アダプタ７０の接続設定情報記憶手段７１に格納される。
【００１１】
次に、図７（ｂ）に通信アダプタの使用方法の例を示す。
【００１２】
撮影した画像データを自宅のパソコン７３に送信するため、ＤＳＣ７４と通信アダプタ７０を接続する。次に、使用者の要求に従い使用者が指定した画像データをＤＳＣ７４から通信アダプタ７０に転送する。そして、使用者の要求に従いＤＳＣ７４から通信アダプタに電子メールの送信要求を出す。通信アダプタ７０は接続設定情報記憶手段７１の接続設定情報を用い通信手段７２を経てＩＳＰとアクセスし、インターネット７５を介して画像データが添付された電子メールを送信先の自宅のパソコン７３に送信する。
【００１３】
【特許文献１】
特開平１０−２８９１８３号公報
【００１４】
【発明が解決しようとする課題】
このように、通信アダプタ７０には、個人がＩＳＰと契約して取得した個人情報である接続設定情報が設定されている。通信アダプタが不正に持ち出された場合、個人の接続設定情報が無断に使われてしまうという課題がある。また、通信アダプタのメモリを読み出すことで個人の接続設定情報が不正に取得されてしまうという課題もある。
【００１５】
【課題を解決するための手段】
前記従来の課題を解決するために、第１の発明は、通信ネットワークを介して通信する通信手段と、外部装置の接続状態を検出する外部装置接続状態検出手段と、前記通信ネットワークと接続するための接続設定情報を記憶する接続設定情報記憶手段と、接続を許可する外部装置の識別子を記憶する識別子記憶手段と、前記外部装置接続状態検出手段が外部装置が接続されたことを検出すると、前記外部装置が有している識別子を取得して前記識別子記憶手段に記憶された識別子と比較し、比較結果に基づいて前記通信ネットワークを介した通信相手との接続の許可を判定する接続判定手段とを有し、前記接続判定手段の判定が接続の許可であった場合は、前記接続設定情報記憶手段の接続設定情報を用いて前記通信手段が前記通信ネットワークを介して通信相手と接続することを特徴とする。
【００１６】
これにより、所有者以外の外部装置が通信アダプタに接続されても、所有者の接続設定情報を使用し通信を行うことができなくなる。
【００１７】
第２の発明は、通信手段の接続状態を検出する通信手段接続状態検出手段と、通信ネットワークと接続するための接続設定情報を記憶する接続設定情報記憶手段と、接続を許可する通信手段の固有番号を記憶する固有番号記憶手段と、前記通信手段接続状態検出手段が通信手段が接続されたことを検出すると、前記通信手段が有している固有番号を取得して前記固有番号記憶手段に記憶された固有番号と比較し、比較結果に基づいて前記通信ネットワークを介した通信相手との接続の許可を判定する接続判定手段とを有し、前記接続判定手段の判定が接続の許可であった場合は、前記通信手段が前記接続設定情報記憶手段の接続設定情報を用いて前記通信ネットワークを介して通信相手と接続することを特徴とする。
【００１８】
このことにより、例えばセルラー電話の電話番号での接続の判定を行うことで、使用者が特定でき接続設定情報の秘匿性を高めることができる。
【００１９】
第３の発明は、第１の発明または第２の発明において、前記接続判定手段の判定が接続の不許可であった場合は、前記接続設定情報を暗号化することを特徴とする。
【００２０】
第４の発明は、第１の発明または第２の発明において、前記接続判定手段の判定が接続の不許可であった場合は、前記接続設定情報記憶手段で接続設定情報が記憶されているアドレスを変更することを特徴とする。
【００２１】
第５の発明は、第１の発明または第２の発明において、前記接続判定手段の判定が接続の不許可であった場合は、前記接続設定情報を削除することを特徴とする。
【００２２】
これらの第３の発明または第４の発明または第５の発明では、例えば、通信アダプタの所有者以外の人が通信アダプタ内の接続設定情報を取得できなくすることができる。
【００２３】
第６の発明は、第１の発明または第２の発明において、前記接続設定情報は、ＩＳＰ（Ｉｎｔｅｒｎｅｔ　Ｓｅｒｖｉｃｅ　Ｐｒｏｖｉｄｅｒ）にアクセスするための情報を含むことを特徴とする。
【００２４】
第７の発明は、第１の発明または第２の発明において、前記接続設定情報は、電子メールサーバにアクセスするための情報を含むことを特徴とする。
【００２５】
第８の発明は、第１の発明または第２の発明において、前記接続設定情報は、ＦＴＰサーバにアクセスするための情報を含むことを特徴とする。
【００２６】
これらの第６の発明または第７の発明または第８の発明では、通信相手のアクセス情報の不正な取得や使用を防止出来る。
【００２７】
【発明の実施の形態】
（実施の形態１）
以下、本発明の第１の実施の形態について、図面を参照しながら説明する。
【００２８】
図１は、本実施の形態で使用される通信アダプタの例を示す。
【００２９】
送信するためのデータを格納する外部装置１と、外部装置１と接続しインターネットを介して外部装置１のデータを送信する通信アダプタ２である。
【００３０】
前記外部装置１は、外部装置固有の値である識別子１０と、送信するためのデータ１１を持つ。識別子１０は、例えば工場出荷時に付けられた識別番号である。データ１１は、例えば撮影された画像データである。
【００３１】
前記通信アダプタ２において、接続設定情報記憶手段２０は、インターネットに接続するための情報、例えば、ＩＳＰと接続するための電話番号、ＩＳＰの接続に必要なユーザＩＤ、パスワード、電子メールを送信するためのメールサーバ、送信先アドレス等を記憶する。識別子記憶手段２１は、接続を許可する外部装置固有の識別子を記憶する。外部装置接続状態検出手段２２は、外部装置１との接続状態を検出する。通信手段２３は、インターネットを介し外部装置１のデータを電子メール等で送信する。接続判定手段２４は、前記外部装置１の識別子１０と前記識別子記憶手段２１に格納された識別子を比較し、接続を許可するかどうかを判定する。制御手段２５は、前記接続判定手段２４が接続を許可した場合、通信手段を経てＩＳＰにアクセスしデータを送信する。接続を許可しなかった場合、前記接続設定情報記憶手段に記憶された接続設定情報を利用できないようにする。
【００３２】
次に、図２のフローチャート、図３を用いて本実施の形態での通信アダプタの動作を説明する。
【００３３】
外部装置１は、例えばＤＳＣのような写真を撮影する装置を想定し以下に説明する。
【００３４】
識別子１０は、例えば外部装置１が工場出荷時に付けられた固有の番号で通常書き込みのできないＲＯＭ（Ｒｅａｄ　Ｏｎｌｙ　ｍｅｍｏｒｙ）に記憶されている。よって、同じ識別子が付けられた外部装置は存在しない。
【００３５】
データ１１は、事前に撮影された画像データでありＤＳＣのカード式の記憶媒体ＣＦ（Ｃｏｍｐａｃｔ　Ｆｌａｓｈ）カード、もしくはＤＳＣ内蔵のＲＡＭ（Ｒａｎｄｏｍ　Ａｃｃｅｓｓ　Ｍｅｍｏｒｙ）に格納されている。
【００３６】
通信アダプタ２の識別子記憶手段２１には、事前にパソコン等で専用のソフトウェアを使って、接続を許可する外部装置１の識別子を設定しておく。また、通信アダプタ２の接続設定情報記憶手段２０の接続設定情報も事前にパソコン等で専用のソフトウェアを使って設定しておく。
【００３７】
通信アダプタ２は外部装置接続状態検出手段２２で外部装置１が接続されたかどうかを検出する（ステップＳ２０１）。例えば、通信アダプタ２は、外部装置１とのインタフェースにおいて、接続時、外部装置１からクロック等の信号を受信することによって外部装置が接続されたかどうかを検出することができる。
【００３８】
外部装置接続状態検出手段２２で外部装置１の接続を検出した場合、接続判定手段２４は外部装置１の識別子１０を取得する（ステップＳ２０３）。例えば、識別子を取得するためのプロトコルを実装することで識別子を取得することができる。
【００３９】
さらに、接続判定手段２４は取得した外部装置１の識別子と識別子記憶手段２１に記憶された識別子を比較する（ステップＳ２０４）。例えば、外部装置１の識別子と識別子記憶手段２１の識別子が同じであれば接続を許可すると判定する。
【００４０】
制御手段２５は、ステップＳ２０４で接続を許可した場合、外部装置１のデータ１１、ここではＤＳＣのＲＡＭに記憶された画像データを取得する（ステップＳ２０５）。例えば、画像データを取得するためのプロトコルを実装することで画像データを取得することができる。
【００４１】
そして、接続設定情報記憶手段２０に格納された接続設定情報を用い通信手段２３を経てＩＳＰとの接続を行う（ステップＳ２０６）。通信手段２３は携帯電話もしくはＰＨＳの電話機能を有しており、ダイアルアップの方法でＩＳＰと接続する。例えば通常パソコンで行われるＰＰＰ（Ｐｏｉｎｔ　Ｔｏ　Ｐｏｉｎｔ　Ｐｒｏｔｏｃｏｌ）を用いた方法と同じでよい。
【００４２】
そして、ステップＳ２０５で取得した画像データを添付した電子メールを送信する（ステップＳ２０７）。画像データの添付方法は、例えば、ＭＩＭＥエンコーディング（Ｍｕｌｔｉｐｕｒｐｏｓｅ　Ｉｎｔｅｒｎｅｔ　Ｍａｉｌ　Ｅｘｔｅｎｓｉｏｎｓ　Ｅｎｃｏｄｉｎｇ）等を使ってテキストデータにエンコードし電子メールに添付する。また、電子メールの送信先アドレスは、例えば、予め設定された自宅のパソコン宛てである。送信先アドレスや送信先アドレスの設定方法はここでは言及しない。
【００４３】
ステップＳ２０４で接続を許可しなかった場合、制御手段２５は、接続設定情報を接続設定情報記憶手段２０の中で格納されていたアドレスと異なるアドレスの位置に移動する（ステップＳ２０８）。図３（ａ）と図３（ｂ）は接続設定情報記憶手段２０を表す図である。例えば、図３（ａ）のようにアドレス０ｘ０００１にあった接続設定情報を図３（ｂ）のアドレス０ｘ０８０１に移動させる。ＩＳＰ接続時、接続設定情報を取得するため接続設定情報記憶手段２０の０ｘ０００１にアクセスするが、移動したため接続設定情報を利用できなくなり、ＩＳＰとの接続ができなくなる。
【００４４】
外部装置接続状態検出手段２２で外部装置１がはずされたことを検出した場合（ステップＳ２０２）、外部装置１の識別子１０と識別子記憶手段２１の識別子が同じ（ステップＳ２０９）であれば処理終了、識別子が異なっていれば、外部装置１の接続時に接続判定手段２４で接続を許可しないと判定していた場合、制御手段２５は、新たに接続可能な外部装置１が接続設定情報が参照できるように、ステップＳ２０８で移動した接続設定情報を移動する前のアドレスに移動する（ステップＳ２１０）。
【００４５】
なお、画像データの取得、ＩＳＰとの接続、電子メール送信をステップＳ２０４の直後にしたが、ステップＳ２０４で接続設定情報を使用可能とすると判断した以降であればよい。例えば、使用者の指示に従い画像データの取得、ＩＳＰとの接続、電子メールを送信したりしてもよい。
【００４６】
また、画像データの取得方法、ＩＳＰとの接続方法、電子メールの送信方法に関しては公知の技術であり、ここでは言及しない。
【００４７】
また、電子メールを利用して画像データを送信したが、ＦＴＰを用いてもよい。そのために、ＦＴＰサーバにアクセスするためのＩＤ、パスワードを接続設定情報に含んでもよい。
【００４８】
なお、本実施の形態では外部装置１をＤＳＣで説明したが、ＤＳＣに限定しない。識別子とデータが記憶できれば記憶媒体のようなものでもよい。
【００４９】
通信アダプタ２に、このような機能を有することによって、通信アダプタ所有者が許可しない外部装置を接続してデータを送信しようとしても接続設定情報が参照できなくなるため、データを送信できなくすることができる。
【００５０】
（実施の形態２）
本発明の第２の実施の形態について、図面を参照しながら説明する。
【００５１】
図４は、本実施の形態で使用される通信アダプタの例を示す。図４の１、１１、２、２０、２３、２４、２５は第１の実施の形態と同じである。
【００５２】
通信アダプタ２について、電話番号記憶手段４０は、接続を許可するＰＨＳの電話番号を事前に記憶する。通信手段接続状態検出手段４１は、通信手段２３の接続状態を検出する。接続判定手段２４は、通信手段２３の電話番号と前記電話番号記憶手段４０に格納された電話番号を比較し、接続を許可するかどうかを判定する。制御手段２５は、前記接続判定手段２４が接続を許可すると判定した場合、通信手段２３を経てＩＳＰにアクセスし通信手段２３を経てデータを送信する。接続を許可しないと判定した場合、前記接続設定情報記憶手段２０に記憶された接続設定情報を利用できないようにする。
【００５３】
次に、図５のフローチャートを用いて本実施の形態での通信アダプタの動作に関し説明する。
【００５４】
外部装置１は、例えばＤＳＣのような写真を撮影する装置、通信手段２３はノートパソコン等で一般的に使われるカード型のデータ通信用のＰＨＳを想定し以下に説明する。
【００５５】
データ１１は、事前に撮影された画像データでありＤＳＣのカード式の記憶媒体ＣＦ（Ｃｏｍｐａｃｔ　Ｆｌａｓｈ）カード、もしくはＤＳＣ内蔵のＲＡＭ（Ｒａｎｄｏｍ　Ａｃｃｅｓｓ　Ｍｅｍｏｒｙ）に格納されている。
【００５６】
外部装置１は、事前に通信アダプタ２と接続されているものとする。
【００５７】
通信アダプタ２の電話番号記憶手段４０の電話番号は、事前にパソコン等で専用のソフトウェアを使って、接続を許可する通信手段２３の電話番号を設定しておく。また、通信アダプタ２の接続設定情報記憶手段２０の接続設定情報も事前にパソコン等で専用のソフトウェアを使って設定しておく。
【００５８】
通信アダプタ２は通信手段接続状態検出手段４１で通信手段２３が接続されたかどうかを検出する（ステップＳ５０１）。例えば、通信アダプタ２は、通常パソコンに実装されているような外部デバイスの接続を検出する機能を用いることでＰＨＳが接続されたかどうかを知ることができる。
【００５９】
通信手段接続状態検出手段４１で通信手段２３の接続を検出した場合、接続判定手段２４がＰＨＳからＰＨＳの電話番号を取得する（ステップＳ５０３）。
【００６０】
さらに、接続判定手段２４は取得した通信手段２３の電話番号と電話番号記憶手段４０に記憶された電話番号を比較する（ステップＳ５０４）。例えば、ＰＨＳの電話番号と電話番号記憶手段４０の電話番号が同じであれば接続を許可すると判定する。
【００６１】
接続を許可すると判定した場合、制御手段２５は事前に接続されている外部装置１のデータ１１、ここではＤＳＣのＲＡＭに記憶されている画像データを取得する（ステップＳ５０５）。
【００６２】
さらに、接続設定情報記憶手段２０に格納された接続設定情報を用い通信手段２３を経てＩＳＰとの接続を行う（ステップＳ５０６）。ＩＳＰとの接続にはダイアルアップの方法を用いる。例えば通常パソコンで行われるＰＰＰ（Ｐｏｉｎｔ　Ｔｏ　Ｐｏｉｎｔ　Ｐｒｏｔｏｃｏｌ）を用いた方法と同じでよい。
【００６３】
そして、ステップＳ５０５で取得した画像データを添付した電子メールを送信する（ステップＳ５０７）。
【００６４】
接続を許可しないと判定した場合、制御手段２５は、接続設定情報を接続設定情報記憶手段２０の中ではじめに格納されていたメモリのアドレスと異なるアドレスの位置に移動する（ステップＳ５０８）。
【００６５】
通信手段接続状態検出手段４１でＰＨＳがはずされたことを検出した場合（ステップＳ５０２）、ＰＨＳの電話番号と電話番号記憶手段４０の電話番号が同じ（ステップＳ５０９）であれば処理終了、異なっていれば、ＰＨＳの接続時に接続判定手段２４で接続を許可しないと判定していた場合、制御手段２５は、接続可能なＰＨＳが接続された時、接続設定情報が参照できるように、ステップＳ５０８で移動した接続設定情報を移動する前のアドレスに移動する（ステップＳ５１０）。
【００６６】
なお、画像データの取得、ＩＳＰとの接続、電子メール送信をステップＳ５０４の直後にしたが、ステップＳ５０４で接続設定情報を使用可能とすると判断した以降であればよい。例えば、使用者の指示に従い画像データの取得、ＩＳＰとの接続、電子メールを送信したりしてもよい。
【００６７】
また、画像データの取得方法、ＩＳＰとの接続方法、電子メールの送信方法に関しては公知の技術でありここでは言及しない。
【００６８】
ここではＰＨＳとしたが、携帯電話でもよい。
【００６９】
通信アダプタ２にこのような機能を有することによって、接続を許可するかどうかの判定に個人が所有するＰＨＳの電話番号を用いることで、より個人を特定することが可能となり、通信アダプタ所有者以外の人がデータを送信できなくすることができる。
【００７０】
なお、ここでは、通信手段の電話番号を用いたが、通信手段を特定できる固有の番号であれば同様の効果を奏する。
【００７１】
（実施の形態３）
本発明の第３の実施の形態について、図面を参照しながら説明する。本実施の形態で使用される通信アダプタの構成は図１と同じである。
【００７２】
図６のフローチャートを用いて本実施の形態での通信アダプタの動作に関し説明する。
【００７３】
ステップＳ６０１、ステップＳ６０３〜ステップＳ６０７は実施の形態１のステップＳ２０１、ステップＳ２０３〜ステップＳ２０７と同等の処理を行う。
【００７４】
接続を許可しない場合、制御手段２５は、接続設定情報を接続設定情報記憶手段２０の接続設定情報を暗号化する（ステップＳ６０８）。暗号化の方式は一般的に知られた暗号の方式でもよいのでここでは言及しない。
【００７５】
ＩＳＰ接続時、接続設定情報を取得するため接続設定情報記憶手段２０にアクセスするが、暗号化されているため接続設定情報が利用できなくなり、ＩＳＰとの接続ができなくなる。
【００７６】
外部装置接続状態検出手段２２で外部装置１がはずされたことを検出した場合（ステップＳ６０２）、外部装置１の識別子１０と識別子記憶手段２１の識別子が同じ（ステップＳ６０９）であれば処理終了、識別子が異なっていれば、外部装置１の接続時に接続判定手段２４で接続を許可しないと判定していた場合、制御手段２５は、新たに接続可能な外部装置１が接続設定情報が利用できるように、ステップＳ６０８で暗号化した接続設定情報を暗号化する前のアドレスにする（ステップＳ６１０）。
【００７７】
なお、通信手段の電話番号を、接続を許可する判定の材料とする場合は、識別子記憶手段を電話番号記憶手段に、外部装置接続状態検出手段を通信手段接続状態検出手段にすることで上記と同様の方法で実現できる。
【００７８】
通信アダプタ２にこのような機能を有することによって、通信アダプタの外部から接続設定情報を取得しようとしても、接続設定情報をより強固に取得できなくすることができる。
【００７９】
【発明の効果】
以上、本発明によれば、通信アダプタに所有者が許可しない外部装置が接続されたとしても、所有者の接続設定情報を使われずにすむ。また、所有者以外の人が通信アダプタから個人の接続設定情報を不正に取得できなくすることができる。
【図面の簡単な説明】
【図１】本発明の通信アダプタの構成図
【図２】実施の形態１の通信アダプタの動作のフローチャート
【図３】接続設定情報記憶手段の接続設定情報移動の図
【図４】実施の形態２の通信アダプタの構成図
【図５】実施の形態２の通信アダプタの動作のフローチャート
【図６】実施の形態３の通信アダプタの動作のフローチャート
【図７】従来の例を示す図
【符号の説明】
１　外部装置
２　通信アダプタ
１０　識別子
１１　データ
２０　接続設定情報記憶手段
２１　識別子記憶手段
２２　外部装置接続状態検出手段
２３　通信手段
２４　接続判定手段
２５　制御手段
４０　電話番号記憶手段
４１　通信手段接続状態検出手段
７０　通信アダプタ
７１　接続設定情報記憶手段
７２　通信手段
７３　パソコン
７４　デジタルスチールカメラ
７５　インターネット
【図１】
2004104393.tif 000003
【図２】
2004104393.tif 000004
【図３】
2004104393.tif 000005
【図４】
2004104393.tif 000006
【図５】
2004104393.tif 000007
【図６】
2004104393.tif 000008
【図７】
2004104393.tif 000009